(57)【要約】【課題】より簡便で異なるサイズの電子機器を梱包することができる。【解決手段】  外装箱と、前記外装箱内で、梱包対象の収容位置の外側に配置され、スペーサを差し込む所定数の溝を有するスペーサ受け部と、前記溝に差し込まれる所定数の突起を有するスペーサと、を備える。【選択図】図１
2018062356.tif 000002
【特許請求の範囲】
【請求項１】
外装箱と、
前記外装箱内で、梱包対象の収容位置の外側に配置され、スペーサを差し込む所定数の溝を有するスペーサ受け部と、
前記溝に差し込まれる所定数の突起を有するスペーサと、を備える
ことを特徴とする梱包体。
【請求項２】
請求項１に記載の梱包体であって、
前記スペーサ受け部は、
前記外装箱の外周側端部に所定のＲ角で前記外装箱の内側に向かって湾曲する凸部を有し、
前記スペーサは、
内側方向に湾曲してくぼむ凹部を有する
ことを特徴とする梱包体。
【請求項３】
請求項１または２に記載の梱包体であって、
前記外装箱の一方の面側の前記溝に嵌合する前記スペーサの突起数と、他方の面側の前記溝に嵌合する前記スペーサの突起数とが異なる
ことを特徴とする梱包体。
【請求項４】
請求項３に記載の梱包体であって、
前記外装箱の四隅に該当する位置に、所定形状のスリットが形成された下側緩衝部を有する
ことを特徴とする梱包体。
【請求項５】
請求項４に記載の梱包体であって、
前記外装箱は、
前記下側緩衝部および前記スペーサ受け部を収容する箱部と、前記箱部の開口を閉じる蓋部とを有し、
前記蓋部は、前記開口を閉じた際に前記外装箱の底面に対向する内側面の所定位置に所定数の上側緩衝部を有している
ことを特徴とする梱包体。
【請求項６】
請求項５に記載の梱包体であって、
前記上側緩衝部は、
先端に向かって先細る複数の突起を有している
ことを特徴とする梱包体。
【請求項７】
請求項１に記載の梱包体であって、
前記梱包対象の収容位置の外側に少なくとも向かい合う１組のスペーサ受け部を有し、
前記梱包対象は、
前記スペーサ受け部または前記スペーサ受け部に嵌め込まれた前記スペーサによって区画される収納スペースに収納される
ことを特徴とする梱包体。
【請求項８】
請求項５に記載の梱包体であって、
前記箱部の内側側面と前記下側緩衝部および前記スペーサ受け部との間に、梱包される電子機器の付属物を収納する収納部が設けられている
ことを特徴とする梱包体。
【請求項９】
請求項６に記載の梱包体であって、
前記外装箱は、
前記蓋部を閉じた状態で施錠可能な鍵構造を有している
ことを特徴とする梱包剤。
【請求項１０】
請求項５のいずれか一項に記載の梱包体であって、
前記下側緩衝部、前記スペーサ受け部、前記スペーサ、および前記上側緩衝部は、クッション性を有する部材から形成されている
ことを特徴とする梱包体。
【請求項１１】
クッション性を有し、梱包対象の収容位置の外側に配置され、スペーサを差し込む所定数の溝を有するスペーサ受け部と、
クッション性を有し、前記溝に差し込まれる所定数の突起を有するスペーサと、を備える
ことを特徴とする緩衝構造。
【発明の詳細な説明】
【技術分野】
【０００１】
本発明は、梱包体および緩衝構造に関する。
【背景技術】
【０００２】
特許文献１には、緩衝部材に関し、「緩衝材ｓ１１は、圧縮変形するクッション性能を有する柔らかい略直方体形状の柔軟部ｓ１１１と、柔軟性を有し樹脂材料で構成された略長方形状でシート状の基材部ｓ１１２とで構成され、柔軟部の一面より略垂直に余材部Ｗを残して途中まで切込みを入れスリットを形成し、基材部を柔軟部に形成されたスリットに挿入し取り付ける。そして、比較的弱い衝撃力は柔軟部の余材部で吸収し、余材部で吸収しきれなかった大きな衝撃力を柔軟部と基材部の相互の作用で吸収する」と記載されている。
【先行技術文献】
【特許文献】
【０００３】
【特許文献１】特開２００８‐２９１９８６号公報
【発明の概要】
【発明が解決しようとする課題】
【０００４】
例えば、会社等から支給されたノートパソコンを代替えする場合、ユーザは、送られてきた新しいパソコンが梱包されていた専用の通箱（梱包体）に古いパソコンを入れて返却する。そのため、新しいパソコンと返却される古いパソコンのサイズが異なる場合、古いパソコンのサイズに合った空の交換用通箱も併せてユーザに送る必要がある。
【０００５】
近年、ノートパソコンの種類が増えたため、予め用意する空の通箱の種類や購入費およびその保管スペースが増加しているという問題がある。そのため、様々なサイズのノートパソコンを収納できる梱包体（フレキシブル・パッケージ）が求められている。
【０００６】
例えば、前述の特許文献１には、落下等の大きな衝撃や日常動作等の小さな衝撃などの衝撃緩衝ができる緩衝部材について記載されているが、複数サイズの電子機器を収納することについては考慮されていない。
【０００７】
本発明は、上記課題に鑑みてなされたものであり、より簡便で異なるサイズの電子機器を梱包できる梱包体の提供を目的とする。
【課題を解決するための手段】
【０００８】
上記課題を解決するため、本発明の一態様に係る梱包体は、外装箱と、前記外装箱に収容され、梱包対象の収容位置の外側にスペーサを差し込む所定数の溝を有するスペーサ受け部と、前記溝に差し込まれる所定数の突起を有するスペーサと、を備える。
【０００９】
また、前記スペーサ受け部は、前記外装箱の外周側端部に所定のＲ角で前記外装箱の内側に向かって湾曲する凸部を有し、前記スペーサは、内側方向に湾曲してくぼむ凹部を有しても良い。
【００１０】
また、前記外装箱の一方の面側の前記溝に嵌合する前記スペーサの突起数と、他方の面側の前記溝に嵌合する前記スペーサの突起数とが異なっていても良い。
【００１１】
また、前記外装箱の四隅に該当する位置に、所定形状のスリットが形成された下側緩衝部を有しても良い。
【００１２】
また、前記外装箱は、前記下側緩衝部および前記スペーサ受け部を収容する箱部と、前記箱部の開口を閉じる蓋部とを有し、前記蓋部は、前記開口を閉じた際に前記外装箱の底面に対向する内側面の所定位置に所定数の上側緩衝部を有しても良い。
【００１３】
また、前記上側緩衝部は、先端に向かって先細る複数の突起を有していても良い。
【００１４】
また、前記梱包対象の収容位置の外側に少なくとも向かい合う１組のスペーサ受け部を有し、前記梱包対象は、前記スペーサ受け部または前記スペーサ受け部に嵌め込まれた前記スペーサによって区画される収納スペースに収納されても良い。
【００１５】
また、前記箱部の内側側面と前記下側緩衝部および前記スペーサ受け部との間に、梱包される電子機器の付属物を収納する収納部が設けられても良い。
【００１６】
また、前記外装箱は、前記蓋部を閉じた状態で施錠可能な鍵構造を有しても良い。
【００１７】
また、前記下側緩衝部、前記スペーサ受け部、前記スペーサ、および前記上側緩衝部は、クッション性を有する部材から形成されても良い。
【００１８】
また、本発明の一態様に係る緩衝構造は、クッション性を有し、梱包対象の収容位置の外側に配置され、スペーサを差し込む所定数の溝を有するスペーサ受け部と、クッション性を有し、前記溝に差し込まれる所定数の突起を有するスペーサと、を備える。
【発明の効果】
【００１９】
本発明に係る梱包体は、より簡便で異なるサイズの電子機器を梱包することができる。なお、上記した以外の課題、構成および効果は、以下の実施形態の説明により明らかにされる。
【図面の簡単な説明】
【００２０】
【図１】図１は、梱包体の分解図である。
【図２】蓋部の内側面を示した図である。
【図３】図３は、上側緩衝部の正面図および側面図である。
【図４】図４は、蓋部の側面図である。
【図５】下パッドの平面図である。
【図６】図６（ａ）は、スペーサ受け部Ａに嵌め込まれるスペーサの平面および側面を示した図である。図６（ｂ）は、スペーサ受け部Ｂに嵌め込まれるスペーサの平面および側面を示した図である。
【図７】図７は、スペーサおよびＢを用いない場合の電子機器Ｘの収納スペースの一例を示した図である。
【図８】図８は、スペーサの突起を全ての溝に嵌合させた場合に形成される収納スペースの一例を示した図である。
【図９】図９は、溝の一部にスペーサの突起を嵌合させた場合に形成される収納スペースの一例を示した図である。
【図１０】図１０は、収納スペースＯに電子機器Ｘが収納された状態の一例を示した図である。
【図１１】図１１は、収納スペースＰに電子機器Ｘが収納された状態の一例を示した図である。
【図１２】図１２は、収納スペースＱに電子機器Ｘが収納された状態の一例を示した図である。
【発明を実施するための形態】
【００２１】
以下、本発明の一実施形態について図面を用いて説明する。
【００２２】
図１は、本実施形態に係る梱包体１０００の分解図である。梱包体１０００は、外装箱１００と、下パッド２００と、複数のスペーサ３００ａおよび３００ｂとを有し、電子機器Ｘ（例えば、ノートパソコン）を梱包する梱包体である。以下、各部の構成および緩衝効果の詳細について説明する。
【００２３】
図１に示すように、外装箱１００は、梱包対象を収容する箱体であり、所定の大きさ（例えば、縦５２０ｍｍ×横４２０ｍｍ×厚さ１３５ｍｍ）に形成されている。なお、外装箱の大きさおよび材質は特に限定されるものではなく、梱包対象となる部材の大きさ等に応じて適宜決定されれば良い。
【００２４】
外装箱１００は、箱部１０１と、蓋部１０２とを有している。箱部１０１は、下パッド２００、複数のスペーサ３００ａおよび３００ｂおよび電子機器Ｘの収容空間を有する箱状に形成され、底面に対向する位置に開口１０３を有している。
【００２５】
蓋部１０２は、箱部１０１の開口１０３を塞ぐ矩形の薄板状に形成され、一部が箱部１０１と繋がっている。
【００２６】
蓋部１０２は、内側面の所定位置にクッション性を有する緩衝部材から形成された複数の上側緩衝部１０４を有している。
【００２７】
図２は、蓋部１０２の内側面を示した図である。図３は、上側緩衝部１０４の正面図および側面図である。図４は、蓋部１０２の側面図である。
【００２８】
図２に示すように、上側緩衝部１０４は、蓋部１０２の内側面の所定位置に所定数（例えば、６個）設けられている。上側緩衝部１０４を設ける位置は特に限定されない。
【００２９】
図３に示すように、上側緩衝部１０４は、所定の幅（例えば、３５ｍｍ）を有し、先端に向けて先細る連続した複数の突起１１０と、蓋部１０２への固定面を有する固定部１１１とを有している。
【００３０】
上側緩衝部１０４は、例えば、クッション性を有するポリエチレン材やウレタン材を用いて所定の大きさ（例えば、長さ６０ｍｍ×幅３５ｍｍ×高さ８０ｍｍ）に形成される。ただし、上側緩衝部１０４の大きさおよび材質は限定されるものではなく、適宜、適切な大きさおよび材質で形成されれば良い。
【００３１】
上側緩衝部１０４は、突起１１０の働きにより、電子機器Ｘに対する上下方向の衝撃や振動を和らげる働きを担う。
【００３２】
図５は、下パッド２００の平面図である。下パッド２００は、外装箱１００内で電子機器Ｘを位置決めすると共に、電子機器Ｘに加わる衝撃や振動を緩和する緩衝部材を備えたユニットである。具体的には、下パッド２００は、台座２０１と、下側緩衝部２０２と、側面側緩衝部２０３とを有している。
【００３３】
台座２０１は、外装箱１００の底面と略同じ大きさの薄い板状に形成され、上側表面には下側緩衝部２０２および側面側緩衝部２０３が設けられる。
【００３４】
下側緩衝部２０２は、クッション性を有するポリエチレン材やウレタン材を用いて所定の大きさ（例えば、縦１５０ｍｍ×横１７０ｍｍ×厚み４０ｍｍ）を有する直方体に形成され、台座２０１の四隅に配置されている。また、下側緩衝部２０２は、所定数（例えば、２本）のスリット２０４を有している。
【００３５】
スリット２０４は、下側緩衝部２０２の上面から台座２０１の上側表面まで貫通するように形成されている。また、スリット２０４は、下側緩衝部２０２の外周面から内側方向に伸びるように所定の大きさ（例えば、長さ１００ｍｍ×幅１０ｍｍ）に形成されている。なお、スリットの本数、向きおよび長さは、特に限定されるものではない。
【００３６】
下側緩衝部２０２は、スリット２０４などの働きにより、電子機器Ｘに対する上下方向の衝撃や振動を和らげる働きを担う。
【００３７】
側面側緩衝部２０３は、クッション性を有するポリエチレン材やウレタン材を用いて所定の大きさ（例えば、長手方向の長さ１７０ｍｍ×幅３５ｍｍ×厚み３０ｍｍ、短手方向の長さ１５０ｍｍ×幅３５ｍｍ×厚み３０ｍｍ）を有するＬ字型に形成されている。側面側緩衝部２０３は、Ｌ字の角と台座２０１の角が一致する向きで、下側緩衝部２０２の上側表面に配置されている。
【００３８】
側面側緩衝部２０３は、スペーサ３００ａを受け入れるスペーサ受け部Ａとスペーサ３００ｂを受け入れるスペーサ受け部Ｂとを有している。具体的には、側面側緩衝部２０３は、外装箱１００の一方の面側（例えば、長手方向に沿った面側）に形成されたスペーサ受け部Ａと、外装箱１００の他方の面側（例えば、短手方向に沿った面側）に形成されたスペーサ受け部Ｂとを有している。
【００３９】
スペーサ受け部ＡおよびＢは各々、側面側緩衝部２０３の上面から下側緩衝部２０２の上側表面まで貫通し、かつ、内側が開口するように形成されている。また、スペーサ受け部ＡおよびＢの内壁の左右両側には、先端が先細る複数の溝２０５が形成され、外装箱１００の外周側端部には、内側方向に向かって湾曲した凸部２０６が形成されている。なお、凸部２０６は、所定のＲ角（例えば、３０°）で湾曲するように形成されている。
【００４０】
側面側緩衝部２０３は、電子機器Ｘに対する左右方向の衝撃や振動を和らげる働きを担う。
【００４１】
図６（ａ）は、スペーサ受け部Ａに嵌め込まれるスペーサ３００ａの平面および側面を示した図である。図６（ｂ）は、スペーサ受け部Ｂに嵌め込まれるスペーサ３００ｂの平面および側面を示した図である。
【００４２】
スペーサ３００ａおよび３００ｂは各々、スペーサ受け部ＡおよびＢの溝２０５に嵌合する所定数（スペーサ３００ａは４つ、スペーサ３００ｂは５つ）の突起３０１および突起３１０と、所定のＲ角（例えば、３０°）で内側方向に湾曲したアーチ構造を有する凹部３０２および凹部３１１を有している。
【００４３】
スペーサ３００ａおよび３００ｂの大きさおよび材質は特に限定されるものではなく、クッション性を有するエチレン材やウレタン材を用いて、所定の大きさ（例えば、スペーサ３００ａは、長さ４０ｍｍ×幅６０ｍｍ×厚み３０ｍｍ、スペーサ３００ｂは、長さ５０ｍｍ×幅６０ｍｍ×厚み３０ｍｍ）に形成される。また、突起の数についても限定されるものではなく、適宜、適切な数が形成されれば良い。
【００４４】
ユーザは、電子機器Ｘのサイズに応じて、溝２０５に対するスペーサ３００ａおよび３００ｂの嵌め込み位置すなわち溝２０５に嵌合させる突起３０１および突起３１０の数を変更することにより、電子機器Ｘの収納スペースの大きさを簡単に変更することができる。
【００４５】
図７は、スペーサ３００ａおよび３００ｂを用いない場合の電子機器Ｘの収納スペースの一例を示した図である。図８は、スペーサ３００ａおよび３００ｂの突起３０１および突起３１０を全ての溝２０５に嵌合させた場合に形成される収納スペースの一例を示した図である。図９は、溝２０５の一部にスペーサ３００ａおよび３００ｂの突起３０１および突起３１０を嵌合させた場合に形成される収納スペースの一例を示した図である。
【００４６】
図７に示すように、スペーサ３００ａおよび３００ｂを用いない場合、側面側緩衝部２０３の角同士を結んだ直線により区画される矩形の収納スペースＯが形成される。
【００４７】
図８に示すように、スペーサ３００ａおよび３００ｂの全て溝２０５に突起３０１および突起３１０を嵌合させた場合、スペーサ３００ａおよび３００ｂの端部同士を結んだ直線により区画される矩形の収納スペースＰが形成される。収納スペースＰは、収納スペースＯよりも小さい領域となる。
【００４８】
図９に示すように、スペーサ３００ａおよび３００ｂの溝２０５の一部に突起３０１および突起３１０を嵌合させた場合、スペーサ３００ａおよび３００ｂの端部同士を結んだ直線により区画される矩形の収納スペースＱが形成される。収納スペースＱは、収納スペースＰよりも小さい領域となる。
【００４９】
図１０は、収納スペースＯに電子機器Ｘが収納された状態の一例を示した図である。図示するように、電子機器Ｘは、外装箱１００に梱包されると、上側緩衝部１０４と、下側緩衝部２０２と、側面側緩衝部２０３とにより位置決めされる。
【００５０】
図１１は、収納スペースＰに電子機器Ｘが収納された状態の一例を示した図である。図示するように、収納スペースＰに収納された電子機器Ｘは、外装箱１００に梱包されると、上側緩衝部１０４と、下側緩衝部２０２と、スペーサ３００ａおよび３００ｂとにより位置決めされる。
【００５１】
図１２は、収納スペースＱに電子機器Ｘが収納された状態の一例を示した図である。図示するように、収納スペースＱに収納された電子機器Ｘは、外装箱１００に梱包されると、上側緩衝部１０４と、下側緩衝部２０２と、スペーサ３００ａおよび３００ｂとにより位置決めされる。
【００５２】
梱包された状態で電子機器Ｘに上下方向の外力が加わると、上側緩衝部１０４および下側緩衝部２０２は、外力を和らげるように作用する。具体的には、上側緩衝部１０４の突起１１０は、電子機器Ｘの一方の面（例えば、表面）に押し潰されて曲がる。この時、突起１１０は、外力を吸収して電子機器Ｘへの衝撃を和らげるのと同時に、曲がった状態から元の形状に戻ろうとする復元力で電子機器Ｘを支持する。このような上側緩衝部１０４の働きにより、電子機器Ｘは、上下方向の衝撃や振動から保護される。
【００５３】
また、下側緩衝部２０２は、電子機器Ｘの一方の面（例えば、底面）に押し潰される。この時、下側緩衝部２０２は、スリット２０４を埋める形状に変形して外力を吸収し、電子機器Ｘへの衝撃を和らげる。また、下側緩衝部２０２は、押し潰された状態から元の形状に戻ろうとする復元力で電子機器Ｘを支持する。このような下側緩衝部２０２の働きにより、電子機器Ｘは、上下方向の衝撃や振動から保護される。
【００５４】
スペーサ３００ａおよび３００ｂを用いずに梱包された状態で電子機器Ｘに左右（横）方向の外力が加わると、側面側緩衝部２０３は、外力を和らげるように作用する。具体的には、側面側緩衝部２０３は、電子機器Ｘの側面に押し潰されて変形する。この時、側面側緩衝部２０３は、外力を吸収し、押し潰された状態から元の形状に戻ろうとする復元力で電子機器Ｘを支持する。このような側面側緩衝部２０３の働きにより、電子機器Ｘは、左右（横）方向の衝撃や振動から保護される。
【００５５】
スペーサ３００ａおよび３００ｂを使って梱包された状態で電子機器Ｘに左右（横）方向の外力が加わると、スペーサ３００ａおよび３００ｂは、電子機器Ｘの側面に押される。突起３０１および突起３１０は、外装箱１００の外周方向に向かう力を受けて変形することにより外力を吸収する。また、突起３０１および突起３１０は、嵌合する溝２０５に支持され、凹部のアーチ構造による反発力が電子機器Ｘを押し戻す方向に作用する。スペーサ３００ａおよび３００ｂは、かかる復元力で電子機器Ｘを支持する。このような側面側緩衝部２０３の働きにより、電子機器Ｘは、左右（横）方向の衝撃や振動から保護される。
【００５６】
このような構造を有する梱包体によれば、より簡便で異なるサイズの電子機器を梱包することができる。その結果、サイズの異なる電子機器の代替え時に交換用の通箱を送らずに済む。また、様々なサイズの電子機器を梱包可能であるため、各サイズの電子機器の梱包体として共通化でき、個別に各サイズの梱包体を購入するコストを削減することができ、保管スペースを縮小化することもできる。
【００５７】
なお、本発明は前述の実施形態に限られるものではなく、例えば、箱部１０１の内側側面と下側緩衝部２０２および側面側緩衝部２０３との間に空間を設け、梱包する電子機器Ｘの付属物（例えば、電源やマウスなど）を入れた箱を収納する収納部を設けても良い（図示せず）。電子機器Ｘと併せてその付属物を梱包できるため利便性を向上させることができる。
【００５８】
また、外装箱１００は、蓋部１０２を閉じた状態で施錠可能な鍵構造を備えていても良い。これにより、輸送途中などに第三者に梱包体が開封されることを防止できる。
【００５９】
また、スペーサ受け部Ａの溝２０５の数と、スペーサ受け部Ｂの溝２０５の数を異ならせても良い。
【００６０】
また、スペーサ３００ａの突起３０１の数と、スペーサ３００ｂの突起３１０の数を同数にしても良い。また、スペーサ３００ａにスペーサ３００ｂよりも多い数の突起３０１を設けても良い。
【００６１】
また、外装箱１００の長手方向に向き合う位置に形成するスペーサ受け部Ａの数と、短手方向に向き合う位置に形成するスペーサ受け部Ｂの数を異ならせても良い。また、スペーサ受け部ＡおよびＢを各々複数設けても良く、スペーサ受け部Ａおよびスペーサ受け部Ｂのいずれか一方のみを複数設けても良い。
【００６２】
また、外装箱１００の長手方向に向き合う位置にのみにスペーサ受け部を形成しても良く、短手方向に向き合う位置にのみにスペーサ受け部を形成しても良い。
【００６３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、実施例の構成の一部について、他の構成の追加、削除、置換をすることが可能である。
【符号の説明】
【００６４】
１０００・・・梱包体、１００・・・外装箱、２００・・・下パッド、３００ａ（３００ｂ）・・・スペーサ、Ｘ・・・電子機器、１０１・・・箱部、１０２・・・蓋部、１０３・・・開口、１０４・・・上側緩衝部、２０１・・・台座、２０２・・・下側緩衝部、２０３・・・側面側緩衝部、２０４・・・スリット、２０５・・・溝、２０６・・・凸部、３０１（３１０）・・・突起、３０２（３１１）・・・凹部
【図１】
2018062356.tif 000003
【図２】
2018062356.tif 000004
【図３】
2018062356.tif 000005
【図４】
2018062356.tif 000006
【図５】
2018062356.tif 000007
【図６】
2018062356.tif 000008
【図７】
2018062356.tif 000009
【図８】
2018062356.tif 000010
【図９】
2018062356.tif 000011
【図１０】
2018062356.tif 000012
【図１１】
2018062356.tif 000013
【図１２】
2018062356.tif 000014